(57)【要約】【課題】  ３Ｄディスプレイでピクセル構造を全て同一に、言い換えれば、同じ色を有するピクセルは全て同じ形状に製造することで、モアレを除去する。【解決手段】  一実施形態に係るディスプレイパネルは、複数のピクセル及びディスプレイパネル内複数のピクセルのための空間を保持する複数のスペーサを含み、ピクセルは、スペーサに基づいた予め決定したパターンに応じてディスプレイパネル内で周期的に配置され、パターンの反復間隔に対応する周波数はユーザの認知周波数帯域に含まれない。【選択図】      図２Ａ
2020076969.tif 000002
【特許請求の範囲】
【請求項１】
ディスプレイパネルにおいて、
複数のピクセルと、
前記複数のピクセル間に提供された複数の配置空間と、
を含み、
前記複数のピクセルは、前記配置空間に対応するパターンに応じて前記ディスプレイパネル内に均一に提供され、
前記パターンの反復間隔に対応する周波数は、ユーザに見える認知周波数帯域の外部にある、ディスプレイパネル。
【請求項２】
前記パターンは少なくとも１つのピクセルを含み、
前記少なくとも１つのピクセルに含まれたサブピクセルの構造は、前記ディスプレイパネル内で複数の配置空間のそれぞれを考慮して決定される、請求項１に記載のディスプレイパネル。
【請求項３】
前記複数のピクセルのそれぞれは同じ形状を有する、請求項１又は２に記載のディスプレイパネル。
【請求項４】
前記複数のピクセルの形状は、前記複数のピクセルのそれぞれに含まれた複数のサブピクセルの組合せによるパターンに応じて決定され、前記複数のピクセルのそれぞれは、前記ディスプレイパネル内で同じパターンを有する、請求項３に記載のディスプレイパネル。
【請求項５】
前記複数のピクセルのそれぞれに含まれたサブピクセルの構造は、スペーサを含む前記配置空間のそれぞれに基づいて決定される、請求項１−４のうち何れか１項に記載のディスプレイパネル。
【請求項６】
前記複数のピクセルのそれぞれに含まれた前記サブピクセルのうち少なくとも１つは、前記配置空間のそれぞれに対応するように前記複数のピクセルのそれぞれに含まれた残りのピクセルの大きさと異なる大きさを有する、請求項５に記載のディスプレイパネル。
【請求項７】
前記複数のピクセルのそれぞれに含まれたサブピクセルの構造は、前記サブピクセルの形状、大きさ、及び勾配の組合せにより決定される、請求項１−６のうち何れか１項に記載のディスプレイパネル。
【請求項８】
前記パターンの反復間隔は、
水平方向に前記パターンが繰り返される第１周期と、
垂直方向に前記パターンが繰り返される第２周期と、
前記水平方向及び前記垂直方向の組合せによる方向に前記パターンが繰り返される第３周期と、
のうち少なくとも１つを含む、請求項１に記載のディスプレイパネル。
【請求項９】
前記複数のピクセルは液晶を含む、請求項１−８のうち何れか１項に記載のディスプレイパネル。
【請求項１０】
３Ｄ表示装置において、
複数のピクセル及び前記複数のピクセル間に提供された複数の配置空間を含むディスプレイパネルと、
前記ディスプレイパネルから入射される光の方向を制御する光学レイヤと、
を含み、
前記複数のピクセルは、前記複数の配置空間に対応するパターンに基づいて前記ディスプレイパネルに均一に提供され、
前記パターンの反復間隔に対応する周波数は、ユーザに見える認知周波数帯域の外部にある、３Ｄ表示装置。
【請求項１１】
前記パターンは少なくとも１つのピクセルを含み、
前記少なくとも１つのピクセルに含まれたサブピクセルの構造は、前記ディスプレイパネル内で複数の配置空間のそれぞれを考慮して決定される、請求項１０に記載の３Ｄ表示装置。
【請求項１２】
前記複数のピクセルのそれぞれは同じ形状を有する、請求項１０又は１１に記載の３Ｄ表示装置。
【請求項１３】
前記複数のピクセルの形状は、前記複数のピクセルのそれぞれに含まれた複数のサブピクセルの組合せによるパターンに応じて決定され、前記複数のピクセルのそれぞれは、前記ディスプレイパネル内で同じパターンを有する、請求項１２に記載の３Ｄ表示装置。
【請求項１４】
前記複数のピクセルのそれぞれに含まれたサブピクセルの構造は、スペーサを含む前記配置空間のそれぞれに基づいて決定される、請求項１０−１３のうち何れか１項に記載の３Ｄ表示装置。
【請求項１５】
前記複数のピクセルのそれぞれに含まれた前記サブピクセルのうち少なくとも１つは、前記配置空間のそれぞれに対応するように前記複数のピクセルのそれぞれに含まれた残りのピクセルの大きさと異なる大きさを有する、請求項１４に記載の３Ｄ表示装置。
【請求項１６】
前記複数のピクセルのそれぞれに含まれたサブピクセルの構造は、前記サブピクセルの形状、大きさ、及び勾配の組合せにより決定される、請求項１０−１５のうち何れか１項に記載の３Ｄ表示装置。
【請求項１７】
前記パターンの反復間隔は、
水平方向に前記パターンが繰り返される第１周期と、
垂直方向に前記パターンが繰り返される第２周期と、
前記水平方向及び前記垂直方向の組合せによる方向に前記パターンが繰り返される第３周期と、
のうち少なくとも１つを含む、請求項１０に記載の３Ｄ表示装置。
【請求項１８】
３Ｄ  ＨＵＤ装置において、
複数のピクセル及び前記複数のピクセル間に提供される複数の配置空間を含むディスプレイパネルと、
車両のウィンドウシールドに含まれ、前記ディスプレイパネルから入射される光の方向を制御する光学レイヤと、
前記光学レイヤを介してユーザに３Ｄ映像を提供するため、前記ユーザの両眼の位置を考慮して前記ディスプレイパネルに表示されるパネル映像を生成する少なくとも１つのプロセッサと、
を含み、
前記複数のピクセルは、前記配置空間に対応するパターンに基づいて前記ディスプレイパネル内で周期的に配置され、
前記パターンの反復間隔に対応する周波数は、ユーザに見える認知周波数帯域の外部にある、３Ｄ  ＨＵＤ装置。
【請求項１９】
前記パターンは少なくとも１つのピクセルを含み、
前記少なくとも１つのピクセルに含まれたサブピクセルの構造は、前記ディスプレイパネル内で前記配置空間のそれぞれに基づいて決定される、請求項１８に記載の３Ｄ  ＨＵＤ装置。
【請求項２０】
前記複数のピクセルのそれぞれに含まれたサブピクセルの構造は、スペーサを含む前記配置空間のそれぞれに基づいて決定される、請求項１８又は１９に記載の３Ｄ  ＨＵＤ装置。
【請求項２１】
前記パターンに含まれた前記サブピクセルのうち少なくとも一部は、前記配置空間のそれぞれに対応するように前記複数のピクセルのそれぞれに含まれた残りのピクセルの大きさと異なる大きさを有する、請求項２０に記載の３Ｄ  ＨＵＤ装置。
【請求項２２】
前記複数のピクセルのそれぞれに含まれたサブピクセルの構造は、前記サブピクセルの形状、大きさ、及び勾配の組合せにより決定される、請求項１８−２１のうち何れか１項に記載の３Ｄ  ＨＵＤ装置。
【請求項２３】
前記パターンの反復間隔は、
水平方向に前記パターンが繰り返される第１周期と、
垂直方向に前記パターンが繰り返される第２周期と、
前記水平方向及び前記垂直方向の組合せによる方向に前記パターンが繰り返される第３周期と、
のうち少なくとも１つを含む、請求項１８に記載の３Ｄ  ＨＵＤ装置。
【請求項２４】
ディスプレイパネルにおいて、
複数のピクセルと、
前記複数のピクセルのそれぞれに含まれた複数のサブピクセルと、
前記複数のピクセル間に提供された複数の配置空間と、
を含み、
前記複数のピクセルは、前記配置空間に対応する前記サブピクセルのパターンに基づいて前記ディスプレイパネルに均一に提供され、
前記パターンの反復間隔に対応する周波数は、ユーザに見える認知周波数帯域の外部にある、ディスプレイパネル。
【請求項２５】
前記サブピクセルは、
少なくとも１つのＲ（Ｒｅｄ）サブピクセル、Ｇ（Ｇｒｅｅｎ）サブピクセル、及びＢ（Ｂｌｕｅ）サブピクセルを含み、
前記複数のピクセルのそれぞれに含まれた前記Ｒサブピクセル、前記Ｇサブピクセル、及びＢサブピクセルの形状、大きさ、及び勾配は同一である、請求項２４に記載のディスプレイパネル。
【請求項２６】
前記複数のピクセルのそれぞれに含まれた前記Ｒサブピクセル、前記Ｇサブピクセル、及びＢサブピクセルのうち少なくとも１つは、前記配置空間のそれぞれに基づいて前記複数のピクセルのそれぞれに含まれた残りのサブピクセルと異なる大きさを有する、請求項２５に記載のディスプレイパネル。
【請求項２７】
前記複数の配置空間のそれぞれはスペーサを含む、請求項２４−２６のうち何れか１項に記載のディスプレイパネル。
【発明の詳細な説明】
【技術分野】
【０００１】
以下の実施形態は、ディスプレイパネル、３Ｄ表示装置、及び３Ｄヘッドアップディスプレイ（ｈｅａｄ−ｕｐ  ｄｉｓｐｌａｙ；ＨＵＤ）装置に関する。
【背景技術】
【０００２】
２つの周期的なパターンが互いに重なると、パターン間の干渉により新しい周期を有するパターンが生成される。このように新しい周期を有するパターンを「モアレ（ｍｏｉｒｅ）」という。３Ｄディスプレイは、一般的に、ディスプレイパネル上にレンズを重ねて製造される。ディスプレイパネルで周期的に配置されたピクセルと周期的に配置されたレンズによりモアレが発生する可能性がある。モアレは、３次元映像の画質を低下させる要因となる。特に、ディスプレイパネルを３Ｄ  ＨＵＤに適用する場合に発生するモアレによる格子パターンは、運転手の視界に影響を及ぼし得る要素として作用する。
【先行技術文献】
【特許文献】
【０００３】
【特許文献１】特開２０１６−１３９１１２号公報
【発明の概要】
【発明が解決しようとする課題】
【０００４】
一実施形態によれば、３Ｄディスプレイでピクセル構造を全て同一に、言い換えれば、同じ色を有するピクセルは全て同じ形状に製造することで、モアレを除去することにある。
【０００５】
一実施形態によれば、デュアルドメインのピクセル構造をシングルドメインのピクセル構造に変更し、モアレの周期を変更する一方、ディスプレイパネル内でスペーサが実際に配置されるか否かに関わらず、保持されるスペーサの配置空間を考慮してパターンに含まれたピクセルの構造が同じ形状を有するようにすることで、モアレの発生確率を低くすることにある。
【課題を解決するための手段】
【０００６】
一実施形態によれば、ディスプレイパネルは、複数のピクセルと、前記複数のピクセル間に提供された複数の配置空間とを含み、前記複数のピクセルは、前記配置空間に対応するパターンに応じて前記ディスプレイパネル内に均一に提供され、前記パターンの反復間隔に対応する周波数は、ユーザに見える認知周波数帯域の外部にある。
【０００７】
前記パターンは少なくとも１つのピクセルを含み、前記少なくとも１つのピクセルに含まれたサブピクセルの構造は、前記ディスプレイパネル内で複数の配置空間のそれぞれを考慮して決定され得る。
【０００８】
前記複数のピクセルのそれぞれは同じ形状を有し得る。
【０００９】
前記複数のピクセルの形状は、前記複数のピクセルのそれぞれに含まれた複数のサブピクセルの組合せによるパターンに応じて決定され、前記複数のピクセルのそれぞれは、前記ディスプレイパネル内で同じパターンを有し得る。
【００１０】
前記複数のピクセルのそれぞれに含まれたサブピクセルの構造は、スペーサを含む前記配置空間のそれぞれに基づいて決定され得る。
【００１１】
前記複数のピクセルのそれぞれに含まれた前記サブピクセルのうち少なくとも１つは、前記配置空間のそれぞれに対応するように前記複数のピクセルのそれぞれに含まれた残りのピクセルの大きさと異なる大きさを有し得る。
【００１２】
前記複数のピクセルのそれぞれに含まれたサブピクセルの構造は、前記サブピクセルの形状、大きさ、及び勾配の組合せにより決定され得る。
【００１３】
前記パターンの反復間隔は、水平方向に前記パターンが繰り返される第１周期と、垂直方向に前記パターンが繰り返される第２周期と、前記水平方向及び前記垂直方向の組合せによる方向に前記パターンが繰り返される第３周期のうち少なくとも１つを含み得る。
【００１４】
前記複数のピクセルは液晶を含み得る。
【００１５】
一実施形態によると、３Ｄ表示装置は、複数のピクセル及び前記複数のピクセル間に提供された複数の配置空間を含むディスプレイパネルと、前記ディスプレイパネルから入射される光の方向を制御する光学レイヤとを含み、前記複数のピクセルは、前記複数の配置空間に対応するパターンに基づいて前記ディスプレイパネルに均一に提供され、前記パターンの反復間隔に対応する周波数は、ユーザに見える認知周波数帯域の外部にある。
【００１６】
前記パターンは少なくとも１つのピクセルを含み、前記少なくとも１つのピクセルに含まれたサブピクセルの構造は、前記ディスプレイパネル内で複数の配置空間のそれぞれを考慮して決定され得る。
【００１７】
前記複数のピクセルのそれぞれは同じ形状を有し得る。
【００１８】
前記複数のピクセルの形状は、前記複数のピクセルのそれぞれに含まれた複数のサブピクセルの組合せによるパターンに応じて決定され、前記複数のピクセルのそれぞれは、前記ディスプレイパネル内で同じパターンを有し得る。
【００１９】
前記複数のピクセルのそれぞれに含まれたサブピクセルの構造は、スペーサを含む前記配置空間のそれぞれに基づいて決定され得る。
【００２０】
前記複数のピクセルのそれぞれに含まれた前記サブピクセルのうち少なくとも１つは、前記配置空間のそれぞれに対応するように前記複数のピクセルのそれぞれに含まれた残りのピクセルの大きさと異なる大きさを有し得る。
【００２１】
前記複数のピクセルのそれぞれに含まれたサブピクセルの構造は、前記サブピクセルの形状、大きさ、及び勾配の組合せにより決定され得る。
【００２２】
前記パターンの反復間隔は、水平方向に前記パターンが繰り返される第１周期と、垂直方向に前記パターンが繰り返される第２周期と、前記水平方向及び前記垂直方向の組合せによる方向に前記パターンが繰り返される第３周期のうち少なくとも１つを含み得る。
【００２３】
一実施形態によると、３Ｄ  ＨＵＤ装置は、複数のピクセル及び前記複数のピクセル間に提供される複数の配置空間を含むディスプレイパネルと、車両のウィンドウシールドに含まれ、前記ディスプレイパネルから入射される光の方向を制御する光学レイヤと、前記光学レイヤを介してユーザに３Ｄ映像を提供するため、前記ユーザの両眼の位置を考慮して前記ディスプレイパネルに表示されるパネル映像を生成する少なくとも１つのプロセッサとを含み、前記複数のピクセルは、前記配置空間に対応するパターンに基づいて前記ディスプレイパネル内で周期的に配置され、前記パターンの反復間隔に対応する周波数は、ユーザに見える認知周波数帯域の外部にある。
【００２４】
前記パターンは少なくとも１つのピクセルを含み、前記少なくとも１つのピクセルに含まれたサブピクセルの構造は、前記ディスプレイパネル内で前記配置空間のそれぞれに基づいて決定され得る。
【００２５】
前記複数のピクセルのそれぞれに含まれたサブピクセルの構造は、スペーサを含む前記配置空間のそれぞれに基づいて決定され得る。
【００２６】
前記パターンに含まれた前記サブピクセルのうち少なくとも一部は、前記配置空間のそれぞれに対応するように前記複数のピクセルのそれぞれに含まれた残りのピクセルの大きさと異なる大きさを有し得る。
【００２７】
前記複数のピクセルのそれぞれに含まれたサブピクセルの構造は、前記サブピクセルの形状、大きさ、及び勾配の組合せにより決定され得る。
【００２８】
前記パターンの反復間隔は、水平方向に前記パターンが繰り返される第１周期と、垂直方向に前記パターンが繰り返される第２周期と、前記水平方向及び前記垂直方向の組合せによる方向に前記パターンが繰り返される第３周期のうち少なくとも１つを含み得る。
【００２９】
一実施形態によると、ディスプレイパネルは、複数のピクセルと、前記複数のピクセルのそれぞれに含まれた複数のサブピクセルと、前記複数のピクセル間に提供された複数の配置空間とを含み、前記複数のピクセルは、前記配置空間に対応する前記サブピクセルのパターンに基づいて前記ディスプレイパネルに均一に提供され、前記パターンの反復間隔に対応する周波数は、ユーザに見える認知周波数帯域の外部にある。
【００３０】
前記サブピクセルは、少なくとも１つのＲ（Ｒｅｄ）サブピクセル、Ｇ（Ｇｒｅｅｎ）サブピクセル、及びＢ（Ｂｌｕｅ）サブピクセルを含み、前記複数のピクセルのそれぞれに含まれた前記Ｒサブピクセル、前記Ｇサブピクセル、及びＢサブピクセルの形状、大きさ、及び勾配は同一であり得る。
【００３１】
前記複数のピクセルのそれぞれに含まれた前記Ｒサブピクセル、前記Ｇサブピクセル、及びＢサブピクセルのうち少なくとも１つは、前記配置空間のそれぞれに基づいて前記複数のピクセルのそれぞれに含まれた残りのサブピクセルと異なる大きさを有し得る。
【００３２】
前記複数の配置空間のそれぞれはスペーサを含み得る。
【発明の効果】
【００３３】
一側面によれば、３Ｄディスプレイでピクセル構造を全て同一に、言い換えれば、同じ色を有するピクセルは全て同じ形状に製造することで、モアレを除去することができる。
【００３４】
一側面によれば、デュアルドメインのピクセル構造をシングルドメインのピクセル構造に変更してモアレの周期を変更する一方、ディスプレイパネル内でスペーサが実際に配置されるか否かに関わらず、保持されるスペーサの配置空間を考慮してパターンに含まれたピクセルの構造が同じ形状を有するようにすることで、モアレの発生確率を低くすることができる。
【図面の簡単な説明】
【００３５】
【図１Ａ】一般的なデュアルドメインディスプレイのピクセル構造によるディスプレイパネルで発生するモアレを説明するための図である。
【図１Ｂ】一般的なデュアルドメインディスプレイのピクセル構造によるディスプレイパネルで発生するモアレを説明するための図である。
【図１Ｃ】一般的なデュアルドメインディスプレイのピクセル構造によるディスプレイパネルで発生するモアレを説明するための図である。
【図２Ａ】一実施形態に係るシングルドメインディスプレイパネルのピクセル構造及び当該ピクセル構造に対応する周波数映像を示す図である。
【図２Ｂ】一実施形態に係るシングルドメインディスプレイパネルのピクセル構造及び当該ピクセル構造に対応する周波数映像を示す図である。
【図３Ａ】互いに異なるパターンを有するピクセルによって構成されるディスプレイパネルを説明するための図である。
【図３Ｂ】互いに異なるパターンを有するピクセルによって構成されるディスプレイパネルを説明するための図である。
【図３Ｃ】互いに異なるパターンを有するピクセルによって構成されるディスプレイパネルを説明するための図である。
【図４Ａ】一実施形態により互いに同じパターンを有するピクセルによって構成されるディスプレイパネルを説明するための図である。
【図４Ｂ】一実施形態により互いに同じパターンを有するピクセルによって構成されるディスプレイパネルを説明するための図である。
【図４Ｃ】一実施形態により互いに同じパターンを有するピクセルによって構成されるディスプレイパネルを説明するための図である。
【図５】一実施形態に係る３Ｄ表示装置の製造方法を示したフローチャートである。
【図６】一実施形態に係る３Ｄ  ＨＵＤ（ｈｅａｄ−ｕｐ  ｄｉｓｐｌａｙ）装置の構造及び動作を説明するための図である。
【図７Ａ】一実施形態に解決しようとするモアレの発生原因を説明するための図である。
【図７Ｂ】一実施形態に解決しようとするモアレの発生原因を説明するための図である。
【図７Ｃ】一実施形態に解決しようとするモアレの発生原因を説明するための図である。
【発明を実施するための形態】
【００３６】
実施形態に対する特定な構造的又は機能的な説明は単なる例示のための目的として開示されたものとして、様々な形態に変更される。したがって、実施形態は特定な開示形態に限定されるものではなく、本明細書の範囲は技術的な思想に含まれる変更、均等物ないし代替物を含む。
【００３７】
第１又は第２などの用語を複数の構成要素を説明するために用いることがあるが、このような用語は１つの構成要素を他の構成要素から区別する目的としてのみ解釈されなければならない。例えば、第１構成要素は第２構成要素と命名することができ、同様に第２構成要素は第１構成要素にも命名することができる。
【００３８】
いずれかの構成要素が他の構成要素に「連結」されているか「接続」されていると言及されたときには、その他の構成要素に直接的に連結されているか又は接続されているが、中間に他の構成要素が存在し得るものと理解されなければならない。
【００３９】
本明細書で用いられる用語は、単に特定の実施形態を説明するために使用されたものであり、本発明を限定しようとする意図はない。単数の表現は、文脈上、明白に異なる意味をもたない限り複数の表現を含む。本明細書において、「含む」又は「有する」等の用語は明細書上に記載した特徴、数字、ステップ、動作、構成要素、部品又はこれらを組み合わせたものが存在することを示すものであって、１つ又はそれ以上の他の特徴や数字、ステップ、動作、構成要素、部品、又はこれを組み合わせたものなどの存在又は付加の可能性を予め排除しないものとして理解しなければならない。
【００４０】
異なるように定義さがれない限り、技術的であるか又は科学的な用語を含むここで用いる全ての用語は、本実施形態が属する技術分野で通常の知識を有する者によって一般的に理解されるものと同じ意味を有する。一般的に用いられる予め定義された用語は、関連技術の文脈上で有する意味と一致する意味を有するものと解釈すべきであって、本明細書で明白に定義しない限り、理想的又は過度に形式的な意味として解釈されることはない。
【００４１】
下記で説明される実施形態は、ユーザを認識したり、スマート車両などの拡張現実ナビゲーション（Ａｕｇｍｅｎｔｅｄ  Ｒｅａｌｉｔｙ  Ｎａｖｉｇａｔｉｏｎ）システムで車線を表示したり、自律走行車両のステアリングを補助するための視覚情報を生成するために活用される。また、実施形態は、車両内走行補助又は完全自律走行のために設けられたＨＵＤ（Ｈｅａｄ  Ｕｐ  Ｄｉｓｐｌａｙ）などの知能システムを含む機器で視覚情報を追跡し、安全かつ快適な走行を提供するために使用される。実施形態は、例えば、スマートフォン、モバイル機器、ナビゲーション、自律走行自動車、及び知能型自動車などに適用される。以下、実施形態を添付する図面を参照しながら詳細に説明する。
【００４２】
図１は、一般的なデュアルドメインディスプレイのピクセル構造によるディスプレイパネルで発生するモアレを説明するための図である。図１Ａを参照すると、デュアルドメインディスプレイのピクセル構造が図示され、図１Ｂを参照すれば、図１Ａに示すピクセル構造による周波数映像が示されている。また、図１Ｃを参照すると、図１Ａに示すピクセル構造で３Ｄディスプレイ製造時に発生するモアレが示されている。
【００４３】
図１Ａに示すように、３次元ディスプレイ装置は、ピクセルを含むディスプレイパネル上にレンズを重ねて製造される。ここで、ディスプレイパネルで周期的なピクセルと周期的に配置されたレンズによって干渉が発生する恐れがある。干渉により生成されたモアレの周波数が低周波領域にあれば、ユーザはモアレを格子として認知する。一般的に人の目は、６０ｃｙｃｌｅ／ｄｅｇｒｅｅ以上の周波数を有するパターンは認知できないが、６０ｃｙｃｌｅ／ｄｅｇｒｅｅ未満の周波数を有するパターンは認知することができる。６０ｃｙｃｌｅ／ｄｅｇｒｅｅ未満の周波数は、「認知周波数帯域」あるいは「可視性サークル」に当該する。図１Ｂにおいて、円で表示されている部分は６０ｃｙｃｌｅ／ｄｅｇｒｅｅ周波数の境界を示し、「認知周波数境界」と呼ぶ。ここで、認知周波数境界の内部に該当する周波数、言い換えれば、６０ｃｙｃｌｅ／ｄｅｇｒｅｅ以下の周波数は「認知周波数」と呼ぶ。モアレによって発生する周期的な干渉パターンの周波数（以下、「モアレ周波数」と称する）が認知周波数に該当する場合、人の目に図１Ｃに示すように、モアレとして認知される。モアレは、３次元映像の画質を低下させる要因として除去されなければならない。
【００４４】
一般的にモアレの発生原因は、空間ドメインよりは周波数ドメインで容易に分析可能であるため、以下では周波数ドメインに変更された映像を介してモアレ発生の有無を確認することにする。また、一般的に、モアレは、ユーザの目に見えるか否かに関わらず、新しく生成された周期的なパターンとして定義され得るが、以下では、説明の便宜及び混同を防止するためにユーザの目に見える周期的なパターンのみをモアレであると定義することにする。
【００４５】
図１Ａに示されたデュアルドメインディスプレイにおいて、奇数行のピクセルは右側に傾いており、偶数行のピクセルは左側に傾いていることが確認される。このように奇数列と偶数列のピクセルのパターンが異なるピクセル構造を「デュアルドメイン（Ｄｕａｌ−ｄｏｍａｉｎ）」構造と呼ぶ。デュアルドメイン構造で上下ピクセルの形状の差によってシングルドメイン構造に比べてピクセルのパターンが繰り返される周期が長くなり、周波数がパターン反復間隔に反比例することで、周波数が減少して低周波領域で周波数が生成する。このような低周波がレンチキュラレンズと重なりながらモアレが発生する確率が高くなる。
【００４６】
一実施形態では、ピクセルのパターンが繰り返される周期を減少させる形態にピクセル構造を変更してモアレの周期を変更することで、認知周波数帯域からモアレを除去することができる。例えば、デュアルドメイン構造を使用する理由は、ディスプレイ視野角を増大させるためである。しかし、例えば、ＨＵＤ装置などのように相対的に視野角が一般ディスプレイに比べて小さい装置の場合、視野角の増大のためにデュアルドメイン構造を使用する必要性は大きくない。したがって、一実施形態では、デュアルドメインのピクセル構造をシングルドメインのピクセル構造に変更してモアレの周期を変更することで、認知周波数帯域からモアレを除去することができる。
【００４７】
図２は、一実施形態に係るディスプレイパネルのピクセル構造に基づいた３Ｄ表示装置及び当該ピクセル構造に対応する周波数映像を示す図である。図２Ａを参照すると、ディスプレイパネル２１０上に光学レイヤ２３０を配置させ、それぞれのピクセル２１１の光が特定方向に出力されるようにした３Ｄ表示装置２５０を示す。図２Ｂを参照すると、ディスプレイパネル２１０に光学レイヤ２３０を取付けた場合の周波数ドメイン映像が示されている。
【００４８】
ディスプレイパネル２１０は、偶数列と奇数列のピクセルが同じパターンを有するシングルドメイン（Ｓｉｎｇｌｅ−ｄｏｍａｉｎ）ディスプレイパネルであってもよい。それぞれのピクセル２１１は、複数のサブピクセル（例えば、Ｒ（Ｒｅｄ）サブピクセル２１１−１、Ｇ（Ｇｒｅｅｎ）サブピクセル２１１−２、及びＢ（Ｂｌｕｅ）サブピクセル２１１−３）を含む。シングルドメインディスプレイパネルは、全てのピクセル２１１が同じ形状、同じ大きさ、及び同じ勾配を有する。シングルドメインピクセル構造を用いて３次元ディスプレイ装置を製造する場合、図２Ｂに示すように、認知周波数帯域内のモアレが発生しないことが確認される。
【００４９】
光学レイヤ２３０は、周期的な特性を有するバリア（ｂａｒｒｉｅｒ）あるいはレンチキュラレンズであってもよい。光学レイヤ２３０は、例えば、半円筒状のレンズで縦に長い形態を有するレンチキュラレンズであってもよい。光学レイヤ２３０は、ディスプレイパネル２１０から入射される光の方向を制御する。
【００５０】
一般的に、パネルの厚さを保持させるためにディスプレイパネル２１０でピクセル２１１の中間にスペーサ（ｓｐａｃｅｒ）（図３Ａに示す３１０を参照）を位置づける。スペーサは、ディスプレイパネルの内外部間の圧力差による荷重を支持するためにピクセルの中間に設ける。スペーサによって一部のピクセル（あるいは、当該ピクセル内の一部のサブピクセル）の形状が変わり、互いに異なるピクセルの形状に応じてピクセルのパターンが繰り返される周期が増加し、認知周波数帯域内のモアレが発生する可能性がある。以下、スペーサによって発生するモアレについては、図３Ａ、図３Ｂ、及び図３Ｃを参照して説明し、図３に示すようなピクセル構造によって発生したモアレを除去する方法については、図４Ａ、図４Ｂ、及び図４Ｃを参照して説明する。図３Ａに説明されるように、スペーサは、ディスプレイパネル２１０の内部に存在する。
【００５１】
図３Ａは、互いに異なるパターンを有するピクセルによって構成されるディスプレイパネルを説明するための図である。図３Ａを参照すると、スペーサ３１１及びピクセル３１３を含むディスプレイパネル３１０が示されている。ディスプレイパネル３１０に含まれたピクセルの形状は、スペーサ３１１によって変更される。ピクセル３１３は、スペーサ３１１によってピクセル３１３内に含まれたＲ、Ｇ、Ｂサブピクセルの形状が奇数列と偶数列で各々異なってもよい。例えば、奇数列のピクセルに含まれたＲサブピクセルの大きさは、Ｇサブピクセル及びＢサブピクセルの大きさよりも小さくてもよい。また、偶数列のピクセルに含まれたＢサブピクセルの大きさは、Ｂサブピクセル及びＧサブピクセルの大きさよりも小さくてもよい。図１を参照して上述したように、ピクセル（あるいは、サブピクセル）の形状及び／又はの大きさ変更は、周波数ドメインで低周波を生成させ、生成された低周波は、認知周波数帯域内のモアレの発生原因となる恐れがある。
【００５２】
図３Ｂを参照すると、３Ｄ表示装置３３０は、ディスプレイパネル３１０及び光学レイヤ３２０を含む。ディスプレイパネル３１０は、複数のピクセル３１３及び複数のピクセルのための空間を保持する複数のスペーサ３１１を含む。
【００５３】
図３Ｃを参照すると、図３Ａに示されたピクセル構造のディスプレイパネルで図３Ｂに示された３次元ディスプレイ装置３３０を製造する場合、認知周波数帯域内で発生するモアレが示されている。スペーサによってピクセル形が変更されてモアレが発生することについて、以下の図４Ａ及び図４Ｂに示されたピクセル構造を介して解消される。
【００５４】
図４Ａ及び図４Ｂは、一実施形態により互いに同じパターンを有するピクセルによって構成されるディスプレイパネルを説明するための図である。図４Ａを参照すると、スペーサ４１１及びピクセル４１３を含むディスプレイパネル４１０が示されている。ディスプレイパネル４１０に含まれたピクセルの形状は、スペーサ４１１によって変更され得る。
【００５５】
一実施形態によれば、ピクセル４１３は、スペーサ４１１に基づいた予め決定したパターンに応じて、ディスプレイパネル４１０内で周期的に配置される。ここで、予め決定されたパターンは、個別ピクセル内に含まれたＲ、Ｇ、Ｂサブピクセルの形状、大きさ、勾配などによって表現される。例えば、予め決定したパターンに応じて、ディスプレイパネル４１０の奇数列及び偶数列で各ピクセル４１３は同じ形状、大きさ、及び勾配を有する。図４に示す実施形態において、予め決定したパターンは、個別ピクセル内Ｒ、Ｇ、Ｂサブピクセルが並んで配置され、互いに同じ勾配を有し、Ｒサブピクセル及びＢサブピクセルの大きさがＧサブピクセルの大きさよりも小さい形態のパターンである。
【００５６】
ピクセル４１３の形状は互いに同一であってもよい。例えば、Ｒ、Ｇ、Ｂサブピクセルがなしている１つのパターン、言い換えれば、ピクセル４１３の形状は互いに同一であってもよい。また、ピクセル４１３の形状は、個別ピクセルに含まれた複数のサブピクセルの組合せによるパターンに応じて決定され、ディスプレイパネル４１０内でピクセル４１３それぞれのパターンは互いに同一であってもよい。
【００５７】
図４Ａ及び図４Ｂに示すように、パターンの反復間隔が減少するとき、パターンの反復間隔に対応する周波数は増加し、ユーザの認知周波数帯域、例えば、認知周波数境界（６０ｃｙｃｌｅ／ｄｅｇｒｅｅ）の範囲内に含まれなくなる。パターンの反復間隔は、例えば、水平方向にパターンが繰り返される第１周期、垂直方向にパターンが繰り返される第２周期、及び水平方向及び垂直方向の組合せによる方向にパターンが繰り返される第３周期のうち少なくとも１つを含む。
【００５８】
パターンは少なくとも１つのピクセル４１３を含み、少なくとも１つのピクセル３１３に含まれたサブピクセルの構造は、ディスプレイパネル４１０内でスペーサ４１１の配置空間を考慮して決定される。特に、パターンに含まれたサブピクセルの構造は、スペーサ４１１が実際に配置されるか否かに関わらず、保持される配置空間を考慮して決定される。例えば、パターンに含まれたサブピクセルの構造は、スペーサ４１１が実際に配置されるか否かに関わらず、スペーサ４１１が配置され得るＲサブピクセルの上段及び／又は下段とＢサブピクセルの上段及び／又は下段の配置空間を空けた形態を有する。
【００５９】
言い換えれば、ピクセルに含まれたサブピクセルのうち少なくとも一部は、配置空間を確保するためにピクセルに含まれた残りのピクセルの大きさとは異なる大きさを有する。例えば、パターンは第１の大きさのＲサブピクセル、第１の大きさよりも大きい第２の大きさのＧサブピクセル、及び第１の大きさのＢサブピクセルを含んでもよい。又は、実施形態により、ピクセルは、第１の大きさのＲサブピクセル、第１の大きさよりも小さい第２の大きさのＧサブピクセル、及び第１の大きさよりも小さく、第２の大きさよりも大きい第３大きさのＢサブピクセルを含んでもよい。
【００６０】
スペーサ４１１の配置空間は、例えば、ＲサブピクセルとＢサブピクセルに隣接して備えられる。その他にも、パターンに含まれたサブピクセルの構造は、サブピクセルの形状、大きさ、及び勾配の様々な組合せにより決定される。
【００６１】
一実施形態によれば、実際にスペーサが配置されない領域でもサブピクセルの大きさを調整することで、ピクセルが繰り返される周期を減少させ得る。前述したように、ピクセルが繰り返される周期が減少することにより周波数が増加するため、認知周波数帯域からモアレが除去する。
【００６２】
図４Ａに示すように、ディスプレイパネル４１０を構成しているピクセルの形状が同一である場合とは異なって、図３Ａに示すように、ディスプレイパネル３１０を構成しているピクセルの形状が異なる場合、ピクセル周期以外に追加的な周波数成分が生成又は存在する。互いに異なる形状のピクセルによって新しいパターン（例えば、ｎ×ｍピクセル単位で構成されるパターン；ｎとｍは正の整数として、ｎとｍのうち少なくとも１つは２以上である）が繰り返される周期が形成され得るためである。例えば、新しいパターンを有するピクセル構造の上にレンチキュラレンズが重なった場合、周波数成分にレンチキュラレンズによって新しい干渉周波数が生成される。レンチキュラレンズの重複は、周波数映像では畳み込み効果を示すことがあるため、ピクセルの反復パターンによる周波数が単純になるほど干渉周波数が少なく生成され、干渉周波数が認知周波数帯域に入る確率を低くする。
【００６３】
図４Ｂを参照すると、３Ｄ表示装置４３０は、ディスプレイパネル４１０及び光学レイヤ４２０を含む。ディスプレイパネル４１０は、複数のピクセル及び複数のピクセルのための空間を保持する複数のスペーサ４１１を含む。
【００６４】
図４Ｃを参照すると、図４Ａに示すピクセル構造を有する３次元ディスプレイ装置の周波数映像が示されている。図４Ｃにおいて、認知周波数帯域内のモアレ周波数がないことが確認される。
【００６５】
図５は、一実施形態に係る３Ｄ表示装置のシミュレーション方法を示したフローチャートである。図５を参照すると、一実施形態に係るシミュレーション装置において、レンズを直接取付けることなく、モアレの発生を減少させるようにシミュレーションを行う過程が示されている。シミュレーション装置は、光学特性が反映された３Ｄ映像を提供するためにパネル映像を生成する（Ｓ５１０）。「３Ｄ映像」は、視聴者（又は、ユーザ）の両眼に提供される映像であって、左映像及び右映像を含む。３Ｄ映像は、例えば、拡張現実（Ａｕｇｍｅｎｔｅｄ  Ｒｅａｌｉｔｙ）のコンテンツのような入力映像であってもよい。「パネル映像」は、３Ｄ表示装置のディスプレイパネルに表現される映像として、視聴者に３Ｄ映像を提供するために視聴者の目の位置、光線方向情報などを考慮して生成される。図５に示すシミュレーションの動作のために、シミュレーション装置は、全てのピクセルをつけたホワイト映像をパネル映像として生成することができる。
【００６６】
シミュレーション装置は、３Ｄ表示装置のレンズの光学特性（例えば、レンズのピッチ及び／又は角度など）を変更する（Ｓ５２０）。シミュレーション装置は、ステップＳ５２０で変更したレンズの光学特性を反映して重複映像を再生成する（Ｓ５３０）。「重複映像」は、視聴者の２つの目に結像する映像であり得る。例えば、３Ｄ表示装置によって３Ｄ映像が提供されれば、シミュレーション装置は重複映像をキャプチャーする。
【００６７】
シミュレーション装置は、重複映像を周波数ドメインの映像に変換し（Ｓ５４０）、周波数ドメインの映像に含まれたモアレ周波数が認知周波数帯域以内に存在するか否かを判別する（Ｓ５５０）。例えば、ステップＳ５５０で周波数ドメイン映像に含まれたモアレ周波数が認知周波数境界よりも小さい場合、シミュレーション装置は、ディスプレイパネルのレンズの光学特性を再び変更する（Ｓ５２０）。
【００６８】
ステップＳ５５０において、周波数ドメインの映像に認知周波数帯域以内のモアレがないと判断された場合、シミュレーション装置は、該当する光学特性をレンズの光学特性として決定する（Ｓ５６０）。
【００６９】
図６は、一実施形態に係る３Ｄ  ＨＵＤ（ｈｅａｄ−ｕｐ  ｄｉｓｐｌａｙ）装置の構造及び動作を説明するための図である。図６を参照すると、一実施形態に係る３Ｄ  ＨＵＤ装置６００の構造が示されている。３Ｄ  ＨＵＤ装置６００は、ディスプレイパネル６１０及びバックライトユニット（ＢＬＵ）６２０を含むＰＧＵ（ｐｉｃｔｕｒｅ  ｇｅｎｅｒａｔｉｏｎ  ｕｎｉｔ）６３０、及び光学レイヤ６４０を含む。
【００７０】
ディスプレイパネル６１０は、複数のピクセル及び複数のピクセルのための空間を保持する複数のスペーサを含む。ピクセルは、スペーサに基づいた予め決定したパターンに応じてディスプレイパネル６１０内で周期的に配置され、パターンの反復間隔に対応する周波数はユーザの認知周波数帯域に含まれない。ディスプレイパネル６１０には、図４に示すディスプレイパネル４１０を介して前述した事項がそのまま適用される。
【００７１】
バックライトユニット（ＢＬＵ）６２０は、ディスプレイパネル６１０の後から均等に光を照らす役割を果たす。
【００７２】
ＰＧＵ６３０は、光学レイヤ６４０を介してユーザにヘッドモーション及びアイボックス６５０を提供するために、ユーザの両眼の位置を考慮してディスプレイパネル６１０に表示されるパネル映像６６０を生成する。ＰＧＵ６３０は、少なくとも１つのプロセッサによって構成される。
【００７３】
図７Ａ、７Ｂ、７Ｃは、一実施形態に解決しようとするモアレの発生原因を説明するための図である。図７Ａは、ディスプレイパネルに表示される映像を空間ドメインに示すものであり、図７Ｃは、図７Ａに示す映像の空間ドメインを周波数ドメインに変換したものである。空間ドメインで２つの映像の重複は、周波数ドメインで２つの周波数変換映像の畳み込みであってもよい。
【００７４】
図７Ａに示された映像は、周波数ドメインで±ｆ１ベクトルを有する。また、図７Ｂに示された映像は、周波数ドメインで±ｆ２ベクトルを有する。ここで、±ｆ１ベクトル及び±ｆ２ベクトルは、各映像の周期的なパターンを示し、周期的なパターンは映像でモアレを示す。
【００７５】
また、図７Ｃに示された映像は、周波数ドメインで前もって２つのベクトル（±ｆ１、±ｆ２）の畳み込みとして、±ｆ１ベクトル及び±ｆ２ベクトル以外にも追加的にｆ１＋ｆ２ベクトル及び−ｆ１−ｆ２ベクトルとｆ１−ｆ２ベクトル及びｆ２−ｆ１ベクトルを有し得る。ｆ１＋ｆ２ベクトル及び−ｆ１−ｆ２ベクトルは本来の映像よりも高周波を有し、ｆ１−ｆ２ベクトル及びｆ２−ｆ１ベクトルは本来の映像よりも低周波を有する。ここで、ｆ１−ｆ２ベクトル及びｆ２−ｆ１ベクトルが認知周波数帯域にあれば、ｆ１−ｆ２ベクトル及びｆ２−ｆ１ベクトル方向に格子を有するパターンが示される。周波数ベクトルは、方向と大きさを有する。ベクトル方向は格子パターンの方向を示し、モアレの周波数が低いほど人の目によく見える。また、周波数ベクトルは、映像の明るさ程度を示すインパルス（ｉｍｐｕｌｓｅ）を有する。
【００７６】
以上述した実施形態は、ハードウェア構成要素、ソフトウェア構成要素、又はハードウェア構成要素及びソフトウェア構成要素の組み合せで具現される。例えば、本実施形態で説明した装置及び構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサー、又は命令（ｉｎｓｔｒｕｃｔｉｏｎ）を実行して応答する異なる装置のように、１つ以上の汎用コンピュータ又は特殊目的コンピュータを用いて具現される。処理装置は、オペレーティングシステム（ＯＳ）及びオペレーティングシステム上で実行される１つ以上のソフトウェアアプリケーションを実行する。また、処理装置は、ソフトウェアの実行に応答してデータをアクセス、格納、操作、処理、及び生成する。理解の便宜のために、処理装置は１つが使用されるものとして説明する場合もあるが、当技術分野で通常の知識を有する者は、処理装置が複数の処理要素（ｐｒｏｃｅｓｓｉｎｇ  ｅｌｅｍｅｎｔ）及び／又は複数類型の処理要素を含むことが把握する。例えば、処理装置は、複数のプロセッサ又は１つのプロセッサ及び１つのコントローラを含む。また、並列プロセッサ（ｐａｒａｌｌｅｌ  ｐｒｏｃｅｓｓｏｒ）のような、他の処理構成も可能である。
【００７７】
上述したように実施形態をたとえ限定された図面によって説明したが、当技術分野で通常の知識を有する者であれば、上記の説明に基づいて様々な技術的な修正及び変形を適用することができる。例えば、説明された技術が説明された方法と異なる順で実行されるし、及び／又は説明されたシステム、構造、装置、回路などの構成要素が説明された方法と異なる形態で結合又は組み合わせられてもよいし、他の構成要素又は均等物によって置き換え又は置換されたとしても適切な結果を達成することができる。したがって、本発明の範囲は、開示された実施形態に限定されて定められるものではなく、特許請求の範囲及び特許請求の範囲と均等なものなどによって定められるものである。
【符号の説明】
【００７８】
２１０：ディスプレイパターン
２１１：ピクセル
２１１−１、２１１−２、２１１−３：サブピクセル
２３０：光学レイヤ
２５０：３Ｄ表示装置
【図１Ａ】
2020076969.tif 000003
【図１Ｂ】
2020076969.tif 000004
【図１Ｃ】
2020076969.tif 000005
【図２Ａ】
2020076969.tif 000006
【図２Ｂ】
2020076969.tif 000007
【図３Ａ】
2020076969.tif 000008
【図３Ｂ】
2020076969.tif 000009
【図３Ｃ】
2020076969.tif 000010
【図４Ａ】
2020076969.tif 000011
【図４Ｂ】
2020076969.tif 000012
【図４Ｃ】
2020076969.tif 000013
【図５】
2020076969.tif 000014
【図６】
2020076969.tif 000015
【図７Ａ】
2020076969.tif 000016
【図７Ｂ】
2020076969.tif 000017
【図７Ｃ】
2020076969.tif 000018